(57)【特許請求の範囲】
【請求項１】
マンホールの上端周縁部に設けられる受枠と、この受枠内に脱着可能に嵌着され、上面には化粧ブロックの充填が可能な凹部を有した皿形状の蓋体とからなるマンホールカバーにおいて、
前記蓋体の周側壁の上端縁部に、前記受枠の周側壁の上端面の上に重なり合う張出し部を、前記蓋体の周側壁の周方向に沿って連続して一体に突出形成し、前記受枠の一端側における周側壁の上端面に複数のスライド突起を形成するとともに、前記蓋体の張出し部に前記スライド突起に対応する逃し部を切欠形成し、前記スライド突起を前記逃し部内に介入させて前記蓋体の張出し部を受枠の周側壁の上端面の上に重ね合わせ、前記スライド突起の上端面を前記張出し部の上端面とをほぼ面一にし、前記受枠に対する蓋体の脱着時には前記スライド突起の上に蓋体の下面を乗せて蓋体をスライドさせることを特徴とする単目地化粧マンホールカバー。
【請求項２】
受枠の張出し部の上端面には化粧目地を貼り付けてあることを特徴とする請求項１に記載の単目地化粧マンホールカバー。
【発明の詳細な説明】
【０００１】
【産業上の利用分野】
この発明は、アーケード街の歩道やコミュニティ広場あるいは公園等の敷地に設けられる単目地化粧マンホールカバーに関する。
【０００２】
【従来の技術】
近年、アーケード街の歩道やコミュニティ広場あるいは公園等の敷地においては、周囲の木々や建物にマッチした環境作り並びに自然保護のために、その敷地の舗装材として、コンクリートに代わり色彩の豊かな化粧ブロックを敷き詰めるところが多くなってきている。なかでも、インターロッキングブロックと称される新感覚の舗装材が注目されており、これは敷地の地盤の上に多数個のインターロッキングブロックを一個ずつ相互に組み合わせながら敷き詰めて施工するものである。
【０００３】
このように、歩道や広場が化粧ブロックで舗装されるのに伴い、この敷地に設けられるマンホールカバーもその場のイメージを損なわないように、周囲の化粧ブロックと同様の化粧ブロックを蓋体の上面の凹部に敷き詰めて充填したブロック充填式の化粧マンホールカバーが用いられるようになってきている。
【０００４】
図１２には、従来のブロック充填式化粧マンホールカバーの構造を示してあり、このマンホールカバーはマンホールＭの上端周縁部に設けられた受枠１と、この受枠１内に脱着可能に嵌着された蓋体２とで構成され、これら受枠１および蓋体２はそれぞれ鋳鉄で形成されている。
【０００５】
受枠１はほぼ垂直に立上がる周側壁３を有し、この周側壁３の外周側が歩道等の敷地で、この敷地に多数の化粧ブロック４が敷き詰められ、これら化粧ブロックで敷地の上が歩道等の舗装面５として仕上げられている。
【０００６】
蓋体２はほぼ垂直に立上がる周側壁６と、この周側壁６の内側の空間からなる凹部７とを有する皿形状に形成され、前記凹部７内に前記舗装面５の化粧ブロック４と同様の複数の化粧ブロック４が敷き詰められて充填され、これら化粧ブロック４で蓋体２の上面が化粧面８として仕上げられている。
【０００７】
そして蓋体２は、その上面の化粧面８と受枠１の周側壁３の外周側の舗装面５とが面一をなすように、受枠１内に脱着可能に嵌着されている。
ところが、このような従来のマンホールカバーにおいては、受枠１の外周側の舗装面４と、蓋体２の上面の化粧面８との間の境部つまり目地部に、受枠１の周側壁３の上端面と、蓋体２の周側壁６の上端面とがそれぞれ表出し、このため舗装面４と化粧面８との境が、受枠１の周側壁３の上端面と蓋体２の周側壁６の上端面とが隣接して二重に配置する幅の広い不体裁な合せ目地Ａとなり、この不体裁な合せ目地Ａと美装仕上げされた舗装面４や蓋体２の上面の化粧面８とが視覚的にマッチせず、全体の外観を低下させてしまう難点がある。
【０００８】
そこで、本出願人は、蓋体の周側壁の上端縁部にその外周側に突出する張出し部を形成し、この張出し部を受枠の周側壁の上端面の上に重なり合うように配置させ、これにより受枠の外周側の舗装面と蓋体の上面の化粧面との間の境に、蓋体の張出し部の上面のみからなる幅の狭い単一のライン状の見栄えのよい単（ひとえ）目地を表出させて全体の外観が向上するようにしたマンホールカバーを製作した。そしてこのマンホールカバーについては、既に特願平６−１２３８６５号として特許出願をしてある。
【０００９】
【発明が解決しようとする課題】
しかしながら、この単目地構造の場合、受枠の周側壁の上端面の上に蓋体の張出し部が重なって配置する関係で、受枠の周側壁の上端面の位置は、受枠の外側の化粧ブロックの上面のレベルよりも一段下がる構成となり、このため受枠内から蓋体を引き出す際に、その蓋体の下面を受枠における周側壁の上端面の上に乗せてスライドさせると、蓋体が受枠の外側の化粧ブロックに不用意に接触してその化粧ブロックを損傷させてしまう恐れがあることが判明した。
【００１０】
この発明はこのような点に着目してなされたもので、その目的とするところは、受枠の外周側の舗装面と、蓋体の上面の化粧面との間の境の目地をすっきりとして見栄えのよい単（ひとえ）目地にして全体の外観を良好に保つことができるとともに、受枠に対して蓋体を脱着する際に、受枠の外側の化粧ブロックを損傷させることなくその作業を円滑に進めることができる単目地化粧マンホールカバーを提供することにある。
【００１１】
【課題を解決するための手段】
この発明はこのような目的を達成するために、マンホールの上端周縁部に設けられる受枠と、この受枠内に脱着可能に嵌着され、上面には化粧ブロックの充填が可能な凹部を有した皿形状の蓋体とからなるマンホールカバーにおいて、前記蓋体の周側壁の上端縁部に、前記受枠の周側壁の上端面の上に重なり合う張出し部を、前記蓋体の周側壁の周方向に沿って連続して一体に突出形成し、前記受枠の一端側における周側壁の上端面に複数のスライド突起を形成するとともに、前記蓋体の張出し部に前記スライド突起に対応する逃し部を切欠形成し、前記スライド突起を前記逃し部内に介入させて前記蓋体の張出し部を受枠の周側壁の上端面の上に重ね合わせ、前記スライド突起の上端面を前記張出し部の上端面とをほぼ面一にし、前記受枠に対する蓋体の脱着時には前記スライド突起の上に蓋体の下面を乗せて蓋体をスライドさせるようにしたものである。
【００１２】
【作用】
このような構成のマンホールにおいては、受枠の周側壁の上端面の上に、蓋体の周側壁に一体に形成された張出し部が重なり合って配置するから、受枠の周側壁の上端面が前記張出し部により覆い隠される。
【００１３】
このため、受枠の外周側の舗装面と、蓋体の上面の化粧面との間の境には、蓋体の張出し部の上面からなる幅の狭い単一のライン状の見栄えのよい単（ひとえ）目地が表出するに過ぎず、したがってこの見栄えのよい単目地と美装仕上げされた舗装面や蓋体の上面の化粧面とが視覚的にマッチしてその全体の外観が向上する。
【００１４】
一方、蓋体を受枠内から取り外すときには、蓋体の一端側の縁部を上方に持ち上げて蓋体の全体を傾斜させるとともに、この蓋体を受枠の一端側にスライドさせてその下面を受枠のスライド突起の上に乗せ、この状態でさらに蓋体をスライドさせて受枠から取り出す。この際、受枠の周側壁の上端面のスライド突起は、受枠の外側に配置している舗装面の化粧ブロックの上面と同一のレベルに位置しているから、蓋体のスライド時に前記化粧ブロックに蓋体が接触するようなことがなく、したがってその化粧ブロックの損傷を防止することができる。
【００１５】
また、受枠内に再び蓋体を装着する場合においても、同様に蓋体をスライド突起で支持してスライドさせることにより化粧ブロックの損傷を防止することができる。
【００１６】
【実施例】
以下、この発明の実施例について図１ないし図１１を参照して説明する。
図１ないし図９にはこの発明の第１の実施例を示してあり、符号１１が受枠で、１２がこの受枠１１内に脱着可能に嵌着された蓋体である。これら受枠１１および蓋体１２はそれぞれ例えば鋳鉄により一体に形成されている。
【００１７】
受枠１１１は方形の枠状をなし、その各断面がほぼ垂直に立上がる周側壁１３と、この周側壁１３の下端部からその内側および外側にほぼ水平に張出す底壁１４，１５とからなるほぼ逆Ｔ字状に形成されている。
【００１８】
周側壁１３の外側に張出した底壁１５にはＵ字状をなす複数の切欠部１６が形成され、またマンホールＭの上端の周縁部にはコンクリートのスラブａが打設されており、このスラブａにアンカーボルトｂが打ち込まれている。そしてアンカーボルトｂが前記切欠部１６内に係合し、かつアンカーボルトｂにナットｃが螺着され、このナットｃの締め付けにより受枠１１がスラブａの上に固定されている。
【００１９】
周側壁１３の内側に張出した底壁１４の周縁部には小さく立上がる起立縁部１７が形成され、この起立縁部１７にゴム製の防臭パッキング１８がその全周に亘って嵌着され、また周側壁１３の上端面は受枠１１の内方側に向って斜め下方に傾斜している。
【００２０】
一方、蓋体１２は上面に凹部２０を有する方形の皿形状に形成され、この蓋体１２の周側壁２１の上端縁部に、その外方に鍔状に張り出す張出し部２２が周側壁２１の周方向に沿って連続して一体に突出形成されている。この張出し部２２の下面は受枠１１における周側壁１３の上端面に対応するように傾斜し、この張出し部２２が受枠１１の周側壁１３の上端面の上に重なって配置している。
【００２１】
蓋体１２の周側壁２１の各隅部の壁面は、面取り状に加工された隅壁面２１ａとなっている。そして図２および図３に示すように、蓋体１２の一端側における隅壁面２１ａの上部に配置する張出し部２２の壁面に鉤孔２３が形成されており、この鉤孔２３に鉤棒等の工具（図示せず）を差し込んで蓋体１２の一端側を引き上げるとともに、この蓋体１２を図２における右側方向にスライドさせて受枠１１から引き出すことができるもので、その引き出し方向を指示するサインラベル２４が張出し部２２の上面に貼り付けられている。
【００２２】
受枠１１の一端側における周側壁１３の上端面の２箇所には、蓋体１２の引き出し時にその蓋体１２を支持してスライドさせるスライド突起２６が一体に突出形成されている。そして蓋体１２の張出し部２２には、前記スライド突起２６に対応する部分において逃し部２７が切欠形成され、この逃し部２７内にスライド突起２６が介入して配置している。
【００２３】
スライド突起２６の高さは、このスライド突起２６が逃し部２７内に介入して配置しているときに、このスライド突起２６の上端面と張出し部２２の上端面とが面一をなす高さとなっている。
【００２４】
蓋体１２は底壁２８を一体に有し、この底壁２８の下面の周縁部が受枠１１に設けられた防臭用のパッキング１８に密着し、この密着によりマンホールＭが密閉され、このマンホールＭ内の臭気の漏出が防止されるようになっている。蓋体１２の底壁２８のほぼ中央部には補強用の段差２９がその下方に突出するように一体に形成され、さらにこの底壁２８の下面の両側寄りに一対のスライドリブ３０がその下方に突出するように一体に形成されている。
【００２５】
スライドリブ３０は前記スライド突起２６に対応する位置に設けられていて、蓋体１２の補強を兼ねるとともに、蓋体１２の引き出し時に前記スライド突起２６の上に乗り上げて滑動するようになっている。
【００２６】
受枠１１の周側壁１３の外周側は歩道等の敷地であり、この敷地の上には図１に示すように、モルタル３２が敷き込まれ、このモルタル３２の上にタイル状の多数の化粧ブロック３３が蓋体１２の張出し部２２の上端面と面一となるように敷き詰められ、これら化粧ブロック３３により敷地の上が美麗な舗装面３４として仕上げられている。
【００２７】
また蓋体１２の凹部２０内には、その内底部にモルタル３２が敷き込まれ、このモルタル３２の上に前記化粧ブロック３３と同様の複数の化粧ブロック３３が蓋体１２の張出し部２２の上端面と面一となるように敷き詰められ、これら化粧ブロック３３により蓋体１２の上面が美麗な化粧面３５として仕上げられている。なお、図２は、蓋体１２の凹部２０内に化粧ブロック３３を充填する前の状態を示してある。また、図８に示すように、蓋体１２の周側壁２１の外面には、前記逃し部２７に対応する部分において、前記化粧ブロック３３の上面のレベル位置を指示するため矢印のサインラベル３６が貼り付けられている。
【００２８】
このような構成のマンホールにおいては、受枠１１の周側壁１３の上端面の上に、蓋体１２の周側壁２１に一体に形成された張出し部２２が重なり合って配置しているから、受枠１１の周側壁１３の上端面が前記張出し部２２により覆い隠される。
【００２９】
このため、受枠１１の外周側の舗装面３４と、蓋体１２の上面の化粧面３５との間の境には、図１に示すように蓋体１２の張出し部２２の上面からなる幅の狭い単一のライン状の見栄えのよい単（ひとえ）目地Ａが表出するに過ぎず、したがってこの見栄えのよい単目地Ａと美装仕上げされた舗装面３４や蓋体１２の上面の化粧面３５とが視覚的にマッチし、その全体の外観が向上する。
【００３０】
また、この発明のマンホールカバーにおいては、受枠１１の周側壁１３の上端面に、化粧ブロック３３の上面のレベルにまで達するスライド突起２６が設けられており、したがってこのスライド突起２６で蓋体１２を支持してスライドさせることにより、蓋体１２の脱着開閉時における化粧ブロック３３の損傷を防止することができる。
【００３１】
すなわち、蓋体１２を受枠１１内から取り外すときには、まず蓋体１２の鉤孔２３内に鉤棒等の工具（図示せず）を差込み、この工具を用いて蓋体１２の一端側の縁部を上方に持ち上げて蓋体１２の全体を傾斜させるとともに、この蓋体１２を手前側に引いて図２における右側方向にスライドさせる。この操作に伴い、図９に示すように、蓋体１２の下面のスライドリブ３０が受枠１１のスライド突起２６の上に乗り上げ、また蓋体１２の他端側の両側部における張出し部２２が受枠１１の両側部における周側壁１３の上端面で支持される。そしてこの際、受枠１１の周側壁１３の上端面のスライド突起２６が、受枠１１の外側に配置している化粧ブロック３３の上面と同一のレベルに達しているから、蓋体１２のスライド時に前記化粧ブロック３３に蓋体１２が接触するようなことがなく、したがって化粧ブロック３３の損傷を確実に防止することができる。
【００３２】
また、受枠１１内に再び蓋体１２を嵌着する場合においても、同様に蓋体１２をスライド突起２６で支持してスライドさせることにより化粧ブロック３３の損傷を防止することができる。
【００３３】
図１０にはこの発明の第２の実施例を示してあり、この第２の実施例においては、蓋体１２の張出し部２２の上端面に、蓋体１２の周方向に沿って連続するステンレス製の化粧目地３７を化粧ブロック３３の上面と面一をなすように両面テープや接着剤等により貼り付けてある。
【００３４】
そしてこの場合、図１１（Ａ）に示すように、化粧目地３７に蓋体１２の張出し部２２の逃し部２７に対応する逃し部３７ａを形成し、受枠１１のスライド突起２６を張出し部２２の逃し部２７と化粧目地３７の逃し部３７ａとに介入させてスライド突起２６の上端面を化粧目地３７の上面と面一に露出させるようにする場合であっても、あるいは図１１（Ｂ）に示すように、化粧目地３７に逃し部を形成せずにその全域を平面状とし、この化粧目地３７でスライド突起２６を覆い隠すような場合であってもよい。
【００３５】
このように蓋体１２の張出し部２２の上端面にステンレス製の化粧目地３７を貼り付けた構成においては、歩道等の舗装面３４と、蓋体１２の化粧面３５との間の境に、単目地として光沢に富むステンレス製の化粧目地３７が表出するから、より一層視覚的な体裁が向上する。
なお、化粧目地３７の材質としては、ステンレスに限らず、真鍮等の他の金属を用いることも可能である。
【００３６】
【発明の効果】
以上説明したようにこの発明によれば、受枠の外周側の舗装面と、蓋体の上面の化粧面との間の境の目地を、視覚的にすっきりとした見栄えのよい単目地とすることができ、したがってその単目地と美装仕上げされた舗装面や蓋体の上面の化粧面とを視覚的にマッチさせて全体の外観を向上させることができ、また受枠に対して蓋体を脱着する際に、蓋体を受枠のスライド突起で支持してスライドさせることにより、受枠の外側の化粧ブロックを不用意に損傷させるようなことなくその作業を円滑に進めることができる。
【図面の簡単な説明】
【図１】この発明の第１の実施例に係るマンホールカバーの断面図。
【図２】そのマンホールカバーの平面図。
【図３】そのマンホールカバーの一部を拡大して示す平面図。
【図４】図３中のＡ−Ａ線に沿う断面図。
【図５】図３中のＢ−Ｂ線に沿う断面図。
【図６】図３中のＣ−Ｃ線に沿う断面図。
【図７】マンホールカバーの一部の正面図。
【図８】マンホールカバーにおける蓋体の一部の正面図。
【図９】マンホールカバーにおける蓋体を受枠から取り外すときの状態を示す断面図。
【図１０】この発明の第２の実施例に係るマンホールカバーの要部の断面図。
【図１１】そのマンホールカバーの要部の正面図。
【図１２】従来のマンホールカバーの断面図。
【符号の説明】
１１…受枠
１２…蓋体
１３…受枠の周側壁
２０…凹部
２１…蓋体の周側壁
２２…蓋体の張出し部
２６…スライド突起
２７…逃し部
３３…化粧ブロック
３７…化粧目地
【図１】
0003616671.tif 000002
【図２】
0003616671.tif 000003
【図３】
0003616671.tif 000004
【図４】
0003616671.tif 000005
【図５】
0003616671.tif 000006
【図６】
0003616671.tif 000007
【図７】
0003616671.tif 000008
【図８】
0003616671.tif 000009
【図９】
0003616671.tif 000010
【図１０】
0003616671.tif 000011
【図１１】
0003616671.tif 000012
【図１２】
0003616671.tif 000013